(57)【要約】      （修正有）【課題】鋏（ハサミ）を使わずに毛髪をカットする。【解決手段】鋏（ハサミ）を使わずに毛髪をカットする事が出来る切断機能が付いたシザーコームを活用する。シザーコームは櫛部分１の根本に鋭利な刃２（上刃と下刃）が施され、電動式で左右に振動して毛髪を切断する仕組みになっている。そのため鋏を使う必要がなく、両手で鋏と櫛を使い分ける必要もない。単純な動作ゆえに、理美容未経験の人でも簡単に毛髪を切ることができる。さらに、ヘアースタイルのパターンを習得することで、品質の高いヘアースタイルをつくることができる。また、従来の親指による鋏の開閉作業が無いため、腱鞘炎などの関節痛を未然に防ぐことができる。【選択図】図１
2017038902.tif 000002
【特許請求の範囲】
【請求項１】
鋏（ハサミ）を使わずに毛髪をカットする事が出来る切断機能が付いたシザーコーム。
通常、理美容の業務では櫛と鋏を使って毛髪をカットする。櫛で髪をとかしながら、ヘアースタイルに応じた長さまで引出し、そこに鋏を入れてカットする。
また、刈上げやショートスタイルの場合などは、櫛をガイドにして鋏を櫛に固定し、連続的に開閉しながらカットすることにより、カット面を揃える。
しかしながら、この鋏（ハサミ）を使わずに毛髪をカットする事が出来る切断機能が付いたシザーコーム（以下シザーコームと呼ぶ）は、切断面が電動式になっているため、従来のように鋏を使うことが一切なく
櫛で髪をとかしながら自由に長さを調整し、好みに応じて自分の切りたい場所をスイッチ一つで簡単に切ることができる。
刈上げなどのショートスタイルは、このシザーコームをスイッチオンの状態で連続的に動かすことで綺麗なカット面をつくることができる。
【請求項２】
理美容師以外の一般の人へむけたカットスクールの開催。
内容はシザーコームの使い方やヘアースタイルの基本をレクチャー。会場に足を運べない人のために通信講座も併用する。
理美容の業務でシザーコームを使用することはもちろん、近年はホームカットと称して一般家庭でもお父さんやお母さんが家族の髪をカットすることが増加傾向にある。
このシザーコームがあれば鋏（ハサミ）を使う必要がないので、従来よりも簡単な行程で髪を切る事ができるため、理美容師以外の人でもヘアーカットの基本をマスターすることにより、クリエイティブなヘアースタイルをつくることができる。
【発明の詳細な説明】
【技術分野】
【０００１】本発明は鋏を使わずに毛髪をカットする事が出来る切断機能が付いたシザーコーム及び理美容師以外の一般の人へむけたカットスクールの開催に関する。
【背景技術】
【０００２】古来より毛髪をカットする際には必ず鋏と櫛を用いた。鋏は周知の通り毛髪を切るためのものから工業用、事務用、調理用など幅広く生活に浸透している。【０００３】また、理美容において毛髪をカットする場合は、髪の長さや流れを整えるために櫛は必要不可欠となってくる。【０００４】バリカンなどの刈り込む器具もあるが長さが限られていてこの発明の目的を達するためには不十分といえる。【０００５】したがって従来の毛髪をカットする技術において、鋏と櫛はセットになっていてその役目を一つの器具で実現するものはなかった。
【発明の概要】
【発明が解決しようとする課題】
【０００６】この発明が解決できる課題の一つに、理美容師の職業病ともいえる腱鞘炎などの関節痛への軽減がある。【０００７】特に親指は鋏を動かす際に最も負担のかかる場所で通常の業務では一人をカットする場合（刈り込みのあるスタイル）に、およそ１０００回の開閉作業を行う。【０００８】理美容師の鋏の使い方は特有で、薬指で下刃を固定した状態で、親指の上刃のみを動かし開閉しながら切っていくというのが一般的な使い方である。【０００９】その技術行程からすると、親指にかかる負担というものは相当なものといえ、長年積み重ねていくうちにこういった関節痛を経験するケースは恐らく少なくはないと推測される。【００１０】実際に出願者自身も理美容師であり、３０年以上のキャリアがある。その経験上、腱鞘炎とは常に関わってきていて持病ともいえる。近年はバネ指と呼ばれる痛みに悩まされ、理美容師生命を左右するものとなり、この発明をするきっかけともなった。【００１１】こういった関節痛を軽減することにより、理美容師の現役生活を根本的な部分からサポートし、少しでも長く仕事が続けられるように貢献できる。【００１２】さらに、この発明が解決できるもう一つ課題が、技術習得期間の短縮である。【００１３】通常、理美容の業務におけるカット技術者の育成には短くても半年、長くて数年を要する。【００１４】理美容師を志してこの業界に入ってきた人の全てが順風満帆ではなく、こういった技術習得への障壁から業界を去る人も後をたたない。【００１５】それは、理美容師の特有の動きである、鋏と櫛を両手で使い分けるという動作が、技術習得において最大の障壁となっていて、それがプロの職人と一般の人との決定的な違いでもある。【００１６】先にもふれたが、近年は一般家庭でお父さんやお母さんが家族の髪をカットすることが増加傾向にある。【００１７】その役目を果たすため、バリカンなどの刈り込む器具も含め、様々な理美容器具が販売されている。【００１８】しかしながら、どの器具を見てもその精度は曖昧なものが多く、長さ問わず幅広く対応出来るものでもない。この発明で得られる完成度とは全くの別物である。【００１９】この発明はこの決定的な違い（鋏と櫛を両手で使い分けるという動作）を取り去ったものであり、それが技術習得期間の短縮につながるものであり、【００２０】理美容経験者以外の人でも短期間に技術習得ができ、毛髪カットに不慣れな人や未経験の人にとって非常に貢献できる器具となる。
【課題を解決するための手段】
【００２１】この発明は上記の従来の課題を解決するために次のような構成を採用する。
〈構成１〉【００２２】図１をもとに本発明の具体例を示す。【００２３】器具先端部に設けられた櫛１で髪をとかし、必要な長さに揃えてスタイルに応じた方向へと髪を引き出す。【００２４】根本部分２に取り付けた鋭利な刃は、上刃と下刃で構成される。電動式になっていて、スイッチ３のオンオフにより左右に振動し毛髪を切断する仕組み。【００２５】持ち手部分４にはモーターが内蔵され外部に設けられたスイッチ３でオン・オフを切り替える。スイッチはオンの状態を継続することもできる。【００２６】スイッチオンの状態を継続した場合、連続的にカットすることができるため、ショートスタイルや刈上げなどの面を整えるような切り方の時に有効になる。
【発明の効果】この発明の、鋏（ハサミ）を使わずに毛髪をカットする事が出来る切断機能が付いたシザーコームには次のような効果がある。
１，  鋏を使うことがないので、腱鞘炎などの関節痛になりにくい。持病としてもっている場合は軽減できる。
２，  櫛で髪をとかしながら自由に長さを調整し、好みに応じて自分の切りたい場所をスイッチ一つで簡単に切ることができる。
３，  連続稼働させることによりショートスタイルなどの面を整えることができる。
４，  短期間でカット技術を習得できるため、理美容師に限らず一般家庭においても気軽にヘアースタイルをカットして楽しむことができる。
５，  鋏を使わないため、小さい子供など動きが激しい場合に安全性を確保できる。
６，  カット時間の短縮にもつながるので、寝たきりの方など、苦痛を伴うような場合に有効。
７，  動物などを対象としたトリマーなどの器具として活用した場合、安全かつスピーディな作業効率が期待できる。
【図面の簡単な説明】
【図１】この発明の請求の範囲第１項に係る、鋏（ハサミ）を使わずに毛髪をカットする事が出来る切断機能が付いたシザーコームを示す正面図である。
【図２】シザーコームの右側面図である。
【図３】シザーコームの左側面図である。
【図４】シザーコームの平面図である。
【図５】シザーコームの底面図である。
【符号の説明】１，  櫛刃部
２，  切断部
３，  オン・オフ切り替えスイッチ
４，  持ち手部分
【図１】
2017038902.tif 000003
【図２】
2017038902.tif 000004
【図３】
2017038902.tif 000005
【図４】
2017038902.tif 000006
【図５】
2017038902.tif 000007